(57)【要約】      （修正有）【課題】磁石で容易に着脱でき、色や模様や形状が変化に富み、しかも各人の好みの大きさの組み合わせを選択可能なブレスレットを提供する。【解決手段】熱可塑性樹脂製の一対の半環状部品２ａ、２ｂを、磁石３で吸引して環状にしたブレスレットであり、前記半環状部品２ａ、２ｂの一端がＳ極、他端がＮ極になるように磁石を埋め込み用穴４に埋め込むことにより、１つの半環状部品に対し、任意の他の半環状部品と組合わせて装着できるようにする。また、半環状部品の深さＤ１、Ｄ２を２種類以上設定することにより、装着者の手首の太さや好みに応じて深さの組み合わせを３種類以上から選択できるようにする。素材にアセチシート（セルロースアセテートプラスチックの板材）又はセルロイドの板材を使用し、局部的に複数の板材を貼りあわせて厚くすることにより、半径方向の厚さが変化に富んだ構造にし、磁着による連結面に管状部品５を嵌めて横ずれを防止した。【選択図】図２
0003158605.tif 000002
【実用新案登録請求の範囲】
【請求項１】
熱可塑性樹脂製の半環状部品２個を、磁石で吸引して連結し、環状にしたブレスレットであり、前記半環状部品の一端がＳ極に、他端がＮ極になるようにそれぞれ磁石を埋め込むことにより、１つの半環状部品に対し、任意の半環状部品と磁着させて装着が可能なことを特徴とするブレスレット。
【請求項２】
前記半環状部品の一端のＳ極磁石の中心と他端のＮ極磁石の中心との距離が同一に製作された半環状部品の製品群において、前記半環状部品の深さＤが２種類以上設定されていることにより、装着者の手首の太さや好みに応じて深さＤの組み合わせを３種類以上から選択できることを特徴とする請求項１に記載したブレスレット。
【請求項３】
前記半環状部品は、アセチシート（アセチルセルロースの板材）又はセルロイドの板材を、切断し、所定の形状に切削した後に、金型により熱成形されていることを特徴とする請求項１又は請求項２に記載したブレスレット。
【請求項４】
請求項３に記載した半環状部品において、アセチシート又はセルロイドの板を局部的に２枚以上貼り合わせてあることにより、半径方向の厚さが一定でない構造であることを特徴とする請求項３に記載したブレスレット。
【請求項５】
請求項１〜４のいずれかに記載したブレスレットにおいて、Ｓ極とＮ極が連結している状態の磁着面を管状部品で囲むことにより、磁着面の横ずれを防ぐことを特徴とするブレスレット。
【考案の詳細な説明】
【技術分野】
【０００１】
本考案は、２つの半環状部品を磁石で着脱するブレスレットに関する。
【背景技術】
【０００２】
従来、磁石の吸引力を利用して多数の部品を環状に連結したブレスレットが発明されている。
例えば特許文献１、及び特許文献２がこれに相当する。
【０００３】
しかし上記文献に示された構造では小さな部品の連結であるために、環の大きさを自在に調節できるメリットがある反面、同じ形状の繰り返しになるので全体として単調な印象になってしまうという欠点があった。
【先行技術文献】
【特許文献】
【０００４】
【特許文献１】特開平１１−１０３９１５号公報
【特許文献２】特開平２０００−８３７１４号公報
【考案の概要】
【考案が解決しようとする課題】
【０００５】
本考案は、磁石で容易に着脱でき、色や模様や形状が変化に富み、しかも各人の好みの大きさの組み合わせを選択可能なブレスレットを提供することにある。
【課題を解決するための手段】
【０００６】
熱可塑性樹脂製の半環状部品２個を、磁石で吸引して環状にしたブレスレットであり、前記半環状部品の一端がＳ極、他端がＮ極になるように磁石を埋め込むことにより、１つの半環状部品に対し、任意の半環状部品と組合わせて装着できるようにした。
【０００７】
前記半環状部品の一端のＳ極磁石の中心と他端のＮ極磁石の中心との距離が同一に製作された半環状部品の製品群において、半環状部品の深さＤが２種類以上設定されていることにより、装着者の手首の太さや好みに応じて深さの組み合わせを３種類以上から選択できるようにした。
【０００８】
前記半環状部品は、アセチシート（セルロースアセテートプラスチックの板材）又はセルロイドの板材を、切断し、所定の形状に切削した後に、金型により熱成形することにより製作した。
また、局部的に複数の板材を貼りあわせて厚くすることにより、半径方向の厚さが変化に富んだ構造にした。
【０００９】
磁着した部分は横ずれに対し外れやすいので、磁石の連結部分を管状部品で囲むことにより、横ずれしにくくした。
【考案の効果】
【００１０】
半環状部品は従来の磁石で繋ぐブレスレットの部品に比べ大きいので、その形状や装飾の形、模様や色のバリエーションを自由にデザインすることができ、さらに両端に磁石を埋め込むという簡単な構造により連結機能が完成するので、多様なデザインのブレスレットを低コストで提供することができる。
【００１１】
半環状部品の材料として、色や模様が豊富な（何百種類もの素材が流通している）アセチシートまたはセルロイドの板材を採用し、所定の形状に切削した後に金型により熱成形する工程を採用することにより、多種少量生産が可能になる。
また、局部的に複数の板材を貼りあわせて厚くすることにより、さらに変化に富んだデザインにすることができる。
【００１２】
半環状部品の一端にＳ極磁石を、他端にＮ極磁石を埋め込むことにより、１つの半環状部品に対し、任意の半環状部品と組合わせて装着できるので、例えば同じ大きさで色やデザインが異なる４個の半環状部品を購入すれば、６通りの組み合わせで使用することができる。
【００１３】
また、磁石間距離が同一に製作された半環状部品の製品群において、半環状部品の深さを２種類以上設定すれば、その深さの組み合わせが３種類以上から選択できるので、より個人にフィットする組み合わせを選ぶことができる。
【００１４】
磁石と磁石の間の吸着面の外周側に磁石又は磁石保持部に嵌合する管状部品を設けることにより、装着中のブレスレットが何かにぶつかったり擦れたりしても、ずれて外れる危険性を少なくすることができる。
【００１５】
手首には血管が集中しているので、二次的効果としてマグネット力による血流改善効果も期待できる。
【図面の簡単な説明】
【００１６】
【図１】本考案によるブレスレットの斜視図
【図２】本考案によるブレスレットの正面図
【図３】磁石で結合する部分のずれ防止構造の拡大図
【図４】磁石で結合する部分のずれ防止構造の拡大図（他の実施例）
【考案を実施するための形態】
【００１７】
図１は、本考案によるブレスレットの外観を示す斜視図である。
半環状部品２ａ、２ｂは円弧や楕円弧、又はコの字形などをベースにした半環状を呈している。
両端は同一平面上になるよう加工されており、端部に円柱状の磁石３が、それぞれ端面側がＳ極、Ｎ極になるように埋め込まれており、磁石は接着剤で固定されている。
【００１８】
半環状部品のほぼ中央部の外周側には、飾り板１０が接着されており、金型に押し付けられて形成された凸状の飾り１１が予めデザインされた位置に設けられている。
【００１９】
図２は、本考案によるブレスレットの正面図である。
本図では、磁石の中心間距離Ｌが同一で、半環状部品の深さＤ１、Ｄ２が２種類の１対の部品を示しており、Ｄ１＜Ｄ２になっている。
もし、小売店で色々なデザインの上記２種類の深さの半環状部品を展示したとすると、購入者は、Ｄ１＋Ｄ１、Ｄ１＋Ｄ２、Ｄ２＋Ｄ２の３種類の組み合わせの中から自分に合った大きさのブレスレットを選択することができるので、色やデザインの組み合わせに加えて選択要素が複雑になり、興味を増すことができる。
【００２０】
本考案によるブレスレットの具体的な製造方法を説明する。
本考案によるブレスレットの生地に特に適しているのは、アセチシート（セルロースアセテートプラスチックの板材）とセルロイドである。
厚さ５ｍｍ〜６ｍｍのアセチシート又はセルロイドの板を、幅１０ｍｍ程度、長さ１３０ｍｍ程度に切り、テンプレートに倣って平面状に、本体形状と飾り部形状をつなげた形に削った後に、飾り部分を切断する。
次に厚さ方向に削り、角を丸く削り、通称ガラと呼んでいる研磨筒に入れて研磨媒体と共に１０〜１５時間回転させて研磨する。
【００２１】
ガラから出した後、前記板材をアセチシートの場合は１３０〜１５０℃、セルロイドの場合は約１００℃に、３〜５分熱して軟化した状態の生地を金型に入れ、圧力をかけて凹凸の模様を成形すると同時に弓形に曲げ、バリ取りをして再度ガラに入れて研磨する。
飾り板部分も同様の工程で、所定の形状に成形する。
【００２２】
その後、本体側は半円環状の形に整えるため、前記弓形になった部品の両端部をさらに曲げた状態で保持する成形型に入れて、熱変形させて、手にフィットする形状にする。
飾り部分１０を本体部分２ａ、２ｂに接着し、本体の両端部を平らに切断して、直径５ｍｍ程度の磁石用の穴４を加工し、磁石３を入れて接着する。
最後にもう一度ガラに入れて、光沢が出るように研磨して完成する。
【００２３】
図２、図３に示したように、磁石は円柱形で長さを直径と同等かやや大きくし、磁石挿入用穴４の深さを磁石の長さより浅くして、磁石を固定した際に磁石の頭部が突出するようにする。その後、例えばＮ極側の磁石の頭部に、長さが磁石の突出量の約２倍の管状部品５を嵌める。
こうすることにより、一対の半環状部品２ａ、２ｂを連結する際に、Ｓ極磁石の突出部をＮ極磁石周囲の凹部６に嵌めてから磁着させることになるので、連結後に横方向の力が加わっても横ずれしにくくなり、予期しないときに外れてしまう危険性を少なくすることができる。
【００２４】
前記と同様な嵌合構造として、図４に示したように例えばＮ極側の磁石周りに管状部品５を固定し、該管状部品の開放端側を長くして凹部６を構成して、該凹部６にＳ極側の磁石装着部を嵌め込んでも良い。
【００２５】
図３、図４に示した管状部品５は、磁石に吸着しない非磁性体が好ましく、例えばアルミニウム合金や真鍮などの金属、本ブレスレット材料と同じ熱可塑性樹脂、又は軟質の合成樹脂が適している。
尚、管状部品５は、装着時の外力によって破損しやすいので、容易に交換できる消耗部品として提供することが望ましい。
【００２６】
アセチシートはセルロイドと比べると光沢がやや落ちるが色や模様の豊富さが何十倍もあるので、色替えができ楽しみが増える。
セルロイドはアセチシートに比べ、素材の色の種類では少ないが、光沢は長持ちし、重厚感がある。
またセルロイドのほうが変形が少なく加工もしやすい。
【００２７】
本考案によるブレスレットの装着時には、上側の半環状部品を手首に当てて置き、下側の半環状部品を下から上に当てて磁石で吸着させる。Ｓ−Ｎを間違えると吸着しないので、その場合は下側の半環状部品を水平に１８０度回してから取り付ける。
【符号の説明】
【００２８】
１      本考案によるブレスレット
２ａ    半環状部品
２ｂ    半環状部品
３      磁石
４      磁石埋め込み用穴
５      管状部品
６      他方の半環状部品の磁石部を挿入するための凹部
１０    接着した飾り板
１１    型押しにより成形された凸状飾り
Ｌ      磁石の中心間距離
Ｄ１    半環状部品の深さ（小）
Ｄ２    半環状部品の深さ（大）
【図１】
0003158605.tif 000003
【図２】
0003158605.tif 000004
【図３】
0003158605.tif 000005
【図４】
0003158605.tif 000006